(57)【特許請求の範囲】
【請求項１】
支持体（１２，２２，４０，４７）と、シャフト（１５，２８，３８，５０）並びにヘッド（１４，２４，３４，４４）を有する固定素子（１３，２３，３３，４３）とよりなるマガジンであって、支持体（１２，２２，４０，４７）により各固定素子（１３，２３，３３，４３）を収容及び案内するよう順次配列した空間（４，２７，３７）で包囲される複数個の収容領域（Ａ）を設け、各収容領域（Ａ）を、貫通開口（１１）を設けた受け面領域（１，２１，３１，４１）と、この受け面領域（１，２１，３１，４１）の両側から固定素子（１３，２３，３３，４３）の取付方向に突出する弾性の２個の側面領域（２，３，２５，２６，３５，３６，４５，４６）とにより構成し、これら側面領域の受け面領域（１，２１，３１，４１）側とは反対側の端部領域を互いに隣接させ、これら端部領域が共通の同軸状の貫通開口（５）を構成し、この貫通開口（５）が固定素子（１３，２３，３３，４３）のシャフト（１５，２８，３８，５０）を収容及び案内するようにした固定素子のマガジンにおいて、受け面領域の貫通開口（１１）の直径を固定素子（１３，２３，３３，４３）のシャフト（１５，２８，３８，５０）の直径にほぼ等しくし、貫通開口（１１）の周方向に一様に分布させてこの貫通開口（１１）から延在する少なくとも２個のスリット（７，８，９，１０）を包絡円（３０）まで延在させ、この包絡円の直径を少なくとも固定素子（１３，２３，３３，４３）のヘッド（１４，２４，３４，４４）の直径に等しい大きさとし、第１の貫通開口（１１）には、マガジンの長手方向に平行に延在する少なくとも１個のスリット（８）とマガジンの長手方向に直交する方向に延在する少なくとも１個のスリット（７）を設け、この第１の貫通開口に隣接する少なくとも１個の他の貫通開口（１１）にはマガジンの長手方向に対して３０゜〜６０゜の範囲の角度をなして延在するスリット（９，１０）を設けたことを特徴とする固定素子のマガジン。
【請求項２】
４個の前記スリット（７，８，９，１０）を設けた請求項１記載の固定素子のマガジン。
【請求項３】
スリット（７，８，９，１０）の幅を貫通開口（１１）から離れるに従って増大させた請求項１又は２記載の固定素子のマガジン。
【請求項４】
受け面領域（１，２１，３１，４１）の貫通開口（１１）の少なくとも周縁領域に、凹状領域（２９）又は凸状領域（３９）を設けた請求項１乃至３のうちのいずれか一項に記載の固定素子のマガジン。
【請求項５】
前記凹状領域（２９）又は凸状領域（３９）を前記支持体（１２，２２，４０，４７）の長さ全体にわたり延在させた請求項４記載の固定素子のマガジン。
【請求項６】
前記支持体（１２，２２，４０，４７）に順次配列した複数個の移送用端縁を設けた請求項１乃至５のうちのいずれか一項に記載の固定素子のマガジン。
【請求項７】
各移送用端縁を受け面領域（１，２１，３１，４１）の長手方向端縁に形成した切欠き（１７）により構成した請求項６記載の固定素子のマガジン。
【請求項８】
弾性の側面領域（２，３，２５，２６，３５，３６，４５，４６）における貫通開口（１１）側とは反対側の端部領域を距離（Ｓ）だけ互いに離し、この距離（Ｓ）を固定素子（４３）のシャフト（５０）の直径よりも小さくした請求項１乃至７のうちのいずれか一項に記載の固定素子のマガジン。
【請求項９】
両側の側面領域（４５，４６）の端部領域（４８，４９）を解離自在に形状ロックを生ずる連結部によって互いに連結する請求項８記載の固定素子のマガジン。
【発明の詳細な説明】
【０００１】
【発明の属する技術分野】
本発明は、支持体と、シャフト並びにヘッドを有する固定素子とよりなるマガジンであって、支持体により各固定素子を収容及び案内するよう順次配列した空間で包囲される複数個の収容領域を設け、各収容領域を、貫通開口を設けた受け面領域と、この受け面領域の両側から固定素子の取付方向に突出する弾性の２個の側面領域とにより構成し、これら側面領域の受け面領域側とは反対側の端部領域を互いに隣接させ、これら端部領域が共通の同軸状の貫通開口を構成し、この貫通開口が固定素子のシャフトを収容及び案内するようにした固定素子のマガジンに関するものである。
【０００２】
【従来の技術】
ドイツ国特許公開第２０２２１３６号には、順次配列した複数個の固定素子であって、シャフト及びシャフトから半径方向に突出するヘッドを有する固定素子を収容及び案内する支持体が記載されている。この刊行物に記載のマガジンは受け面領域によって構成し、この受け面の両側の長手方向端縁から側面領域を固定素子の取付方向に突出させる。この両側の側面領域の端部領域は互いに隣接させて配置する。受け面と側方端縁との間には支持体の長さ全体にわたって延在する空間が存在する。
【０００３】
マガジン全体は順次配列して個別に固定素子を収容する複数個の収容領域に分割している。この分割は、固定素子の取付方向にほぼ平行に延びる切れ目によって行い、この切れ目は両側の側面領域の遊端から側面領域の一部分にわたり延在する。
【０００４】
各収容領域の受け面領域には貫通開口を設け、この貫通開口の直径は固定素子のシャフトの直径よりも大きくし、固定素子のヘッドの直径よりも小さくする。この貫通開口に同軸状に、側面領域の両側の端部領域によって構成される貫通開口を設け、この端部領域の貫通開口の直径を固定素子のシャフト直径にほぼ等しくしている。
【０００５】
【発明が解決しようとする課題】
マガジンの空間内に固定素子のヘッドが存在するためには、主にくぎをシャフトの取付方向側の前方部分を側面領域で構成される貫通開口に案内する。
【０００６】
本発明の目的は、支持体及び複数個の固定素子を有する構成簡単かつ製造安価なマガジンであって、各固定素子をシャフトの互いに離れた２個の位置にわたり個別の固定素子の良好な案内を行い、かつ固定素子をマガジンから大きな労力なしに分離することができるマガジンを得るにある。
【０００７】
【課題を解決するための手段】
この目的を達成するため、本発明マガジンは、受け面領域の貫通開口の直径を固定素子のシャフトの直径にほぼ等しくし、貫通開口の周方向に一様に分布させてこの貫通開口から延在する少なくとも２個のスリットを包絡円まで延在させ、この包絡円の直径を少なくとも固定素子のヘッドの直径に等しい大きさとしたことを特徴とする。
【０００８】
本発明マガジンによれば、各固定素子をシャフトの２個の互いに離れた位置で案内することができる。これら案内は、受け面領域における貫通開口と両側の側面領域の端部領域における貫通開口とにより行われる。受け面領域に設けたスリットは、貫通開口の周縁領域を円形に配列した複数個のセグメントに分割し、これらセグメントが、固定素子を取付方向に取付作業を行なう際に、固定素子のヘッド若しくは固定素子のヘッドを支持するよう配置したシールリング及び／又はワッシャリングによってマガジンの空間内に容易に回動する。ヘッドが貫通開口を通過した後、ヘッド若しくはシール及び／又はワッシャリングの外側輪郭は両側の側面領域に接触し、これら側面領域を側方に押し広げ、これにより、ヘッド若しくはシール及び／又はワッシャリングは妨げられることなく支持体を通過することができる。
【０００９】
固定素子はヘッド若しくはシール及び／又はワッシャリングによって、例えば、平坦に構成した受け面領域、従って、マガジンの外面に着座する。ヘッドを大きな労力なしにマガジンから移動することができるようにするためには、円形に配列したセグメントがマガジンの空間内に簡単に回動することが必要となる。このことを可能にするには、４個のスリットを設ける。スリットの数が多くなればなるほど、回動軸線までの距離は短くなり、従って、耐久性も低下し、円形に配列したセグメントの空間内への回動に悪影響を及ぼす
【００１０】
好適な実施例によれば、スリットの幅を貫通開口から遠ざかるにつれて大きくする。スリットの他の形状によれば、貫通開口の周囲に円形状に配列したセグメントの回動軸線を短くし、従って、空間内に僅かな力で回動することができるようになる。
【００１１】
スリットの長さは、やはり貫通開口の周囲に円形に配列したセグメントの回動に影響を与える。スリットが固定素子のヘッド若しくはシール及び／又はワッシャリングの外側輪郭まで延びていれば、これらセグメントの空間内への回動は容易となる。長い長さのスリットは固定素子から等距離だけ延在させる場合、第１の貫通開口には、マガジンの長手方向に平行に延在する少なくとも１個のスリットとマガジンの長手方向に直交する方向に延在する少なくとも１個のスリットを設け、この第１の貫通開口に隣接する少なくとも１個の他の貫通開口にはマガジンの長手方向に対して３０゜〜６０゜の範囲の角度をなして延在するスリットを設けると好適である。
【００１２】
更に、ヘッド若しくはシール及び／又はワッシャリングの取付方向に面する端面側を凸状又は凹状形状に構成した固定素子を案内する場合、受け面領域の貫通開口の少なくとも周縁領域に、凹状領域又は凸状領域を設けると好適である。
【００１３】
製造上の理由から、前記凹状領域又は凸状領域を前記支持体の長さ全体にわたり延在させると好適である。
【００１４】
例えば、マガジンを装置の移送装置において使用して固定素子を基礎構造に取り付けることができるようにするためには、前記支持体に順次配列した複数個の移送用端縁を設け、移送装置の送り素子がこれら移送用端縁に形状ロックを生ずるよう掛合可能にすると好適である。
【００１５】
移送装置の移送素子が取付方向に平行な方向並びに取付方向に直交する方向に関してマガジンの移送用端縁に形状ロックを生じて掛合できるようにするためには、各移送用端縁は受け面領域の長手方向端縁に設けた切欠きによって構成すると好適である。しかし、この移送用端縁は、受け面領域に順次個別に設けた孔によって構成することもでき、これら孔に移送装置の送り素子が形状ロックするように連結する。
【００１６】
貫通開口及び貫通開口の中心軸線はマガジンの長手方向にほぼ直交する方向に延在するものとする。しかし、この中心軸線はマガジンの長手方向に対して角度をなすように配置することもできる。このことは、マガジンが装置の取付方向に対して直角ではない角度で案内して、固定素子を基礎構造に据え付けることができるようにするときに行なう。切れ目は中心軸線の位置に適合させ、ほぼ中心軸線に平行に延在させる。
【００１７】
支持体は例えば、薄いポリエステルフォイルにより構成する。このフォイルの厚さは例えば、０．１５ｍｍ〜１．５ｍｍの範囲の厚さとする。支持体は一層又は多層の合成材料、紙、厚紙又は金属板により構成することができ、接着剤、溶接又は圧入により互いに連結することができる。紙又は厚紙によって構成した支持体は、例えば、湿気又は汚れの影響を受けにくくする防湿剤又は防汚剤を含浸させることができる。
【００１８】
スリットは、例えば、貫通開口の周縁領域に終端させて構成する。貫通開口の周縁領域に隣接する領域は、例えば、小さい連結ウェブによって構成し、固定素子の取付作業後には破壊するようにし、これにより、円形に配列したセグメントはマガジンの空間内に妨げられることなく回動することができる。連結ウェブは固定素子の取付作業に対して円形状に配列したすべてのセグメントを確実に整列させる。
【００１９】
好適な実施例においては、弾性の側面領域における受け面の貫通開口側とは反対側の端部領域を距離だけ互いに離し、この距離を固定素子のシャフトの直径よりも小さくする。両側の端部領域のこの構成は、固定素子のシャフトの領域をシャフトの四方を直線状に案内し、両側の端部領域により構成した貫通開口の端縁領域をほぼ一様に分布させることができるという利点がある。
【００２０】
収容領域の形状安定性を向上するためには、両側の側面領域の端部領域を解離可能に形状ロックを生ずるよう相互連結すると好適である。
【００２１】
【発明の実施の形態】
次に図面につき本発明の好適な実施の形態を説明する。
【００２２】
図１〜図８において、支持体１２，２２，４０，４７と、この支持体に互いに離して順次配置した複数個の固定素子１３，２３，３３，４３とを有するマガジンを示し、この支持体１２，２２，４０，４７は固定素子１３，２３，３３，４３を収容及び案内する作用を行なう。固定素子１３，２３，３３，４３は、ねじ、ボルト、又はくぎとすることができ、シャフト１５，２８，３８，５０及びシャフト１５，２８，３８，５０から半径方向に突出するヘッド１４，２４，３４，４４を有する。受け面を増大するため、ヘッドの下方にワッシャ１６を配置することができる。支持体１２，２２，４０，４７は受け面領域１，２１，３１，４１と、この受け面領域１，２１，３１，４１から固定素子１３，２３，３３，４３の取付方向に延在する弾性の側面領域２，３，２５，２６，３５，３６，４５，５６とにより構成する。受け面領域１，２１，３１，４１と、側面領域２，３，２５，２６，３５，３６，４５，４６の互いに平行に取付方向に延在する部分とにより空間４，２７，３７を包囲し、この空間４，２７，３７はマガジンの長さ全体にわたり延在する。受け面領域１，２１，３１，４１側とは反対側の両側の側面領域２，３，２５，２６，３５，３６，４５，４６の端部領域４８，４９は、互いに隣接させて配置する。これら端部領域４８，４９は通常は互いに接合しない。しかし、接着剤、又は溶接、又は機械的なフック連結（図８参照）により互いに釈放自在に連結することもできる。
【００２３】
支持体１２，２２，４０，４７は、複数個の切れ目６により個々の収容領域Ａに分割するが、これら収容領域Ａは受け面領域１，２１，３１，４１によって依然として一体に相互連結されている。切れ目６は両側の側面領域２，３，２５，２６，３５，３６，４５，４６の遊端から受け面領域１，２１，３１，４１の近傍まで延在する。図２は、それぞれの収容領域Ａの受け面領域１，２１，３１，４１に貫通開口１１を設けた様子を示し、これら貫通開口１１の直径はほぼ固定素子１３，２３，３３，４３のシャフト直径に対応するものとする。両側の側面領域２，３，２５，２６，３５，３６，４５，４６の両側の端部領域はともに、各収容領域Ａにおける貫通開口１１に同軸状の貫通開口５を構成する。貫通開口１１並びに貫通開口５は固定素子１３，２３，３３，４３のシャフト１５，２８，３８，５０の収容及び案内を行なう。
【００２４】
図３及び図５に示すように受け面領域２１，３１には、例えば、凹状領域２９又は凸状領域３０を設け、これら領域２９，３０はヘッド２４，３４又はシール又はワッシャリング３２の取付方向側に面する輪郭に適合する形状とする。凹状領域２９又は凸状領域３９は例えば、貫通開口の周縁領域に限定して形成する。しかし、これら領域２９，３０は図３及び図５に示すように支持体２２，４０の長さ全体にわたり延在させることもできる。
【００２５】
図２から明らかなように、貫通開口１１の周縁領域に４個のスリット７，８，９，１０を等間隔に配列して形成する。これらスリット７，８，９，１０バルブ貫通開口１１の周縁から、貫通開口１１に同心状の包絡円３０まで半径方向に延在させる。スリット７，８，９，１０の幅は貫通開口１１から遠ざかるにつれて増大させ、包絡円３０の直径は固定素子１３，２３，３３のヘッド直径よりも大きくする。第１の貫通開口１１には、マガジンの長手方向に平行に延在する少なくとも１個のスリット８並びに支持体１２，２２，４０の長さ方向に直交する方向に延在する少なくとも１個のスリット７を設け、この第１の貫通開口１１に隣接する貫通開口１１にはスリット８に隣接させてスリット９，１０を設け、これらスリット９，１０は支持体１２，２２，４０の長さ方向に対して４５゜の角度をなすよう延在させる。スリット７，８，９，１０は例えば、貫通開口１１の周縁領域に円形に配列することもできる。
【００２６】
図１乃至図８に示すマガジンを、やはり図示しない基礎構造に固定素子を打ち込むことができる図示しない移送装置における移送のため、例えば、支持体１２，２２，４０，４７に順次に配列した複数個の移送用端縁を設け、これら移送用端縁に移送装置の送り素子が形状ロックを生ずるよう掛合可能にする。これら移送用端縁は、例えば、受け面領域１，２１，３１，４１の長さ方向端縁に設けた切欠き１７により構成する。
【００２７】
図７は単独の収容領域における固定素子１３，２３，３３例えば、六角ヘッドを有するねじを支持体１２，２２，４０から対応形状の図示しないねじ回し工具によって排出する状況を示す。第１段階では固定素子１３，２３，３３は初期位置をとる。ヘッド１４，２４，３４は受け面領域１，２１，３１の円形に配列されたセグメントに接触し、これらセグメントはスリット７，８，９，１０間に延在する。固定素子１３，２３，３３に取付方向の圧力が加わると、受け面領域１，２１，３１の円形に配列されたセグメントは空間４，２７，３７内に回動する。次いで、ヘッド１４，２４，３４の外側輪郭は両側の側面領域２，３，２５，３６，３５，３６の内面に接触する。これら側面領域２，３，２５，２６，３５，３６に対してほぼ側方から作用する力によって、収容領域Ａの両側の側面領域２，３，２５，２６，３５，３６を拡開する作用を生じ、ヘッド１４，２４，３４が支持体１２，２２，４０の空間４，２７，３７から押し出される。これにより、例えば、側面領域１，３，２５，２６，３５，３６の端部領域４８，４９間の接着結合又は溶着接合が剥がれる。受け面領域１，２１，３１の円形に配列したセグメントは、固定素子１３，２３，３３が支持体１２，２２，４０から排出された後は再び初期位置をとる。
【００２８】
図８に示すマガジンは、両側の側面領域４５，４６に連続する端部領域４８，４９が距離Ｓだけ互いに離れる支持体４７を有する。この距離Ｓは固定素子４３のシャフト５０の直径よりも小さい。両側の端部領域４８，４９のこの構成は、シャフト５０の領域における固定素子４３の案内がシャフト５０の四方で直線的に行われ、両側の側面領域４５，５６及び端部領域４８，４９で構成される貫通開口に対して一様に分布する端縁領域を生ずる。
【００２９】
収容領域の高い形状安定性を得るためには、両側の側面領域の端付領域４８，４９は、解離可能に形状ロックする連結部によって互いに連結する。この解離自在に形状ロックする連結部は、両側の端部領域のうちの一方の端部領域例えば、端部領域４９から突出する少なくとも１個のフック状素子５１と、他方の端部領域の一部例えば、端部領域４８に設けた他のフック状素子５２とが互いに形状ロックを生ずるよう掛合自在にする。この形状ロックによる連結は、固定素子４３が支持体４７の収容領域から排出されるとき形状ロックの連結部が外れる寸法とする。
【図面の簡単な説明】
【図１】  本発明によるマガジン好適な実施の形態の部分側面図である。
【図２】  図１のマガジンの平面図である。
【図３】  本発明によるマガジンの他の実施例の端面図である。
【図４】  図１の端面図である。
【図５】  本発明によるマガジンの更に他の実施例の端面図である。
【図６】  図１のマガジンの下側から見た斜視図である。
【図７】  図１のマガジンの固定素子の取付作業の段階を示す説明図である。
【図８】  本発明によるマガジンの更に他の拡大端面図である。
【符号の説明】
1,21,31,41            受け面領域
2,3,25,26,35,36,45,46 側面領域
4,27,37               空間
5                     貫通開口
6                     切れ目
7,8,9,10              スリット
11                    貫通開口
12,22,40,47           支持体
13,23,33,43           固定素子
14,24,34,44           ヘッド
15,28,38,50           シャフト
16                    ワッシャ
17                    切欠き
29                    凹状領域
39                    凸状領域
32                    シール又はワッシャリング
48,49                 端部領域
51,52                 フック状素子
【図１】
0004865153.tif 000002
【図２】
0004865153.tif 000003
【図３】
0004865153.tif 000004
【図４】
0004865153.tif 000005
【図５】
0004865153.tif 000006
【図６】
0004865153.tif 000007
【図７】
0004865153.tif 000008
【図８】
0004865153.tif 000009